(57)【要約】【課題】動画を構成するフレーム画像から適正な画質からなる静止画を生成する。【解決手段】ＲＯＭから静止画用の第１のコントラストカーブＡ１を読み出すとともに、動画用の第２のコントラストカーブＡ２を読み出す。そして、この読み出した第２のコントラストカーブＡ２の逆カーブを算定して、これを第３のコントラストカーブとする。さらに、第３のコントラストカーブＡ３に第１のコントラストカーブＡ１を乗じて、これを第４のコントラストカーブとする。これにより、第４のコントラストカーブＡ４が得られることとなる。そして、予め読み出して伸張した動画のフレーム信号に、前記第４のコントラストカーブＡ４を適用してコントラスト変換処理を施すことにより（ステップＳ７）静止画を生成する。【選択図】      図２
2010119109.tif 000002
【特許請求の範囲】
【請求項１】
複数のフレーム画像で構成され動画用の画像処理が施された動画からフレーム画像を取得する取得手段と、
この取得手段により取得された前記動画用の画像処理が施されたフレーム画像に所定の画像処理を施すことにより静止画用の画像処理が施された静止画を生成する静止画生成手段と
を備えることを特徴とする静止画生成装置。
【請求項２】
動画を撮影して前記動画用の画像処理を施す動画撮影手段と、
静止画を撮影して前記静止画用の画像処理を施す静止画撮影手段と、
前記各撮影手段により撮影されて前記各画像処理が施された動画及び静止画を記録する記録手段とを備え、
前記取得手段は、前記記録手段に記録された動画から前記フレーム画像を取得し、
前記記録手段は、前記静止画生成手段により生成された静止画を更に記録することを特徴とする請求項１記載の静止画生成装置。
【請求項３】
前記各画像処理はガンマ処理であり、
前記静止画生成手段は、前記動画用のガンマ処理が施された前記動画の前記フレーム画像に所定のガンマ処理を施すことにより静止画用のガンマ処理が施された静止画を生成することを特徴とする請求項１又は２記載の静止画生成装置。
【請求項４】
前記動画用のガンマ処理が施された前記動画の前記フレーム画像を静止画用のガンマ処理が施された静止画に変換するためのガンマカーブを記憶する記憶手段を含み、
前記静止画生成手段は、前記動画用のガンマ処理が施された前記動画の前記フレーム画像に前記記憶手段に記憶されたガンマカーブに基づくガンマ処理を施すことにより静止画用のガンマ処理が施された静止画を生成することを特徴とする請求項１、２又は３記載の静止画生成装置。
【請求項５】
前記静止画生成手段は、前記静止画用の画像処理を施すための第１の画像処理情報と、前記動画用の画像処理を施すための第２の画像処理情報とを記憶する記憶手段を含み、
この記憶手段に記憶された各画像処理情報に基づき、画像処理を施すことにより静止画用の画像処理が施された静止画を生成することを特徴とする請求項１、２又は３記載の静止画生成装置。
【請求項６】
前記静止画生成手段は、前記第２の画像処理情報に基づき逆特性を有する第３の画像処理情報を算定し、この算定した第３の画像処理情報と前記第１の画像処理情報とに基づき第４の画像処理情報を算定する算定手段を更に含み、
前記第２の画像処理情報に基づく画像処理が施された前記動画の前記フレーム画像に、前記第４の画像処理情報に基づく画像処理を施すことにより静止画用の画像処理が施された静止画を生成することを特徴とする請求項５記載の静止画生成装置。
【請求項７】
前記各画像処理は彩度調整処理であり、
前記静止画生成手段は、前記動画用の彩度調整処理が施された前記動画の前記フレーム画像に所定の彩度調整処理を施すことにより静止画用の彩度調整処理が施された静止画を生成することを特徴とする請求項１から６にいずれか記載の静止画生成装置。
【請求項８】
前記各画像処理はフィルタ処理であり、
前記静止画生成手段は、前記動画用のフィルタ処理が施された前記動画の前記フレーム画像に所定のフィルタ処理を施すことにより静止画用のフィルタ処理が施された静止画を生成することを特徴とする請求項１から７にいずれか記載の静止画生成装置。
【請求項９】
前記各画像処理は露出調整処理であり、
前記静止画生成手段は、前記動画用の露出調整処理が施された前記動画の前記フレーム画像に所定の露出調整処理を施すことにより静止画用の露出調整処理が施された静止画を生成することを特徴とする請求項１から８にいずれか記載の静止画生成装置。
【請求項１０】
前記取得手段は、前記動画からフレーム画像を選択して取得する第１の取得手段と、
この第１の取得手段により取得されたフレーム画像と時間的に近接する複数のフレーム画像を取得する第２の取得手段とを含み、
前記静止画生成手段は、前記第１の取得手段により取得されたフレーム画像に対応する静止画と、前記第２の取得手段により取得されたフレーム画像に対応する静止画とを含む単一の静止画を生成することを特徴とする請求項１から９にいずれか記載の静止画生成装置。
【請求項１１】
静止画生成装置が有するコンピュータを、
複数のフレーム画像で構成され動画用の画像処理が施された動画からフレーム画像を取得する取得手段と、
この取得手段により取得された前記動画用の画像処理が施されたフレーム画像に所定の画像処理を施すことにより静止画用の画像処理が施された静止画を生成する静止画生成手段と
して機能させることを特徴とする静止画生成プログラム。
【請求項１２】
複数のフレーム画像で構成され動画用の画像処理が施された動画からフレーム画像を取得する取得工程と、
この取得工程により取得された前記動画用の画像処理が施されたフレーム画像に所定の画像処理を施すことにより静止画用の画像処理が施された静止画を生成する静止画生成工程と
を含むことを特徴とする静止画生成方法。
【発明の詳細な説明】
【技術分野】
【０００１】
本発明は、動画を構成する任意のフレーム画像から静止画を生成する静止画生成装置、静止画生成プログラム及び静止画生成方法に関する。
【背景技術】
【０００２】
従来、予め動画撮影してメモリに記憶した動画から静止画を生成する静止画生成装置が提案されるに至っている。この静止画生成装置は、ユーザがメモリに記憶されている動画データ中の印刷すべきフレームを指定すると、この指定された印刷すべきフレームの位置情報が保存される。そして、この保存されたフレームの位置情報に基づいて、メモリから動画データを読み出し、動画データ中のフレーム位置情報により特定されるフレームの動画データから静止画データを生成する。この生成された静止画データを、インターフェイスを介してプリンタに送ることにより、動画データ中の任意のフレーム画像を静止画として印刷出力することを可能にするものである（例えば、特許文献１参照。）。
【先行技術文献】
【特許文献】
【０００３】
【特許文献１】特開２００４−１７９８２３号公報
【発明の概要】
【発明が解決しようとする課題】
【０００４】
しかしながら、動画撮影してメモリに動画データを記憶させる際には、これが動画として家庭用のＴＶ画面に投影された際、該家庭用のＴＶ画面上で最適画質となるように各種画像処理が施される。すなわち、家庭用のＴＶの画質は、モデルやその調整値により一概には言えないものの、概してハイキー／ハイコントラストで高彩度、つまり派手目の絵作りがなされるように、工場初期値が調整されて出荷されている。したがって、このような家庭用のＴＶ画面上で再生された場合に、最適画質となるように動画の各種画質パラメータが調整されてメモリに記憶されており、例えば動画のコントラスト、彩度、シャープネスといった画質パラメータは静止画のそれに比較すると低めの値をとっている。つまり、家庭用のＴＶ画面上で派手目に演出再生されてしまうことを予め想定し、地味目の絵作りがなされているのである。
【０００５】
したがって、予め画質調整された動画のフレームを前述した従来の静止画生成装置のように、そのまま静止画として印刷出力したり、パソコンの画面に表示出力した場合、画像が「暗い」「ぼやっとしている」「鮮やかさが足りない」といった印象を与える結果となり、適正な画質からなる静止画が得られないこととなる。
【０００６】
本発明は、かかる従来の課題に鑑みてなされたものであり、動画を構成するフレーム画像から適正な画質からなる静止画を生成することのできる静止画生成装置、静止画生成プログラム及び静止画生成方法を提供することを目的とする。
【課題を解決するための手段】
【０００７】
前記課題を解決するために請求項１記載の発明に係る静止画生成装置は、複数のフレーム画像で構成され動画用の画像処理が施された動画からフレーム画像を取得する取得手段と、この取得手段により取得された前記動画用の画像処理が施されたフレーム画像に所定の画像処理を施すことにより静止画用の画像処理が施された静止画を生成する静止画生成手段とを備える。したがって、任意のフレーム画像から静止画を得ようとする動画に如何なる画質パラメータで動画用の画像処理が施されていても、取得手段により取得したフレーム画像に所定の画像処理が施されることにより、静止画用の画像処理が施された適正な画質からなる静止画を生成することができる。
【０００８】
また、請求項２記載の発明に係る静止画生成装置は、動画を撮影して前記動画用の画像処理を施す動画撮影手段と、静止画を撮影して前記静止画用の画像処理を施す静止画撮影手段と、前記各撮影手段により撮影されて前記各画像処理が施された動画及び静止画を記録する記録手段とを備え、前記取得手段は、前記記録手段に記録された動画から前記フレーム画像を取得し、前記記録手段は、前記静止画生成手段により生成された静止画を更に記録する。したがって、動画を撮影して動画用の画像処理を施す動画撮影手段と静止画を撮影して静止画用の画像処理を施す静止画撮影手段とを有するデジタルカメラ等において、動画撮影手段により撮影された動画を構成するフレーム画像から、当該デジタルカメラの静止画撮影手段により撮影した静止画と同等の画質特性を有する静止画を生成することができる。
【０００９】
また、請求項３記載の発明に係る静止画生成装置は、前記各画像処理はガンマ処理であり、前記静止画生成手段は、前記動画用のガンマ処理が施された前記動画の前記フレーム画像に所定のガンマ処理を施すことにより静止画用のガンマ処理が施された静止画を生成する。したがって、任意のフレーム画像から静止画を得ようとする動画に如何なる動画用のガンマ処理が施されていても、取得手段により取得したフレーム画像に所定のガンマ処理が施されることにより、静止画用のガンマ処理が施された適正な画質からなる静止画を生成することができる。
【００１０】
また、請求項４記載の発明に係る静止画生成装置は、前記動画用のガンマ処理が施された前記動画の前記フレーム画像を静止画用のガンマ処理が施された静止画に変換するためのガンマカーブを記憶する記憶手段を含み、前記静止画生成手段は、前記動画用のガンマ処理が施された前記動画の前記フレーム画像に前記記憶手段に記憶されたガンマカーブに基づくガンマ処理を施すことにより静止画用のガンマ処理が施された静止画を生成するしたがって、記憶されているガンマカーブに基づき、簡単な処理でかつ確実に適正なガンマ特性からなる静止画を生成することができる。
【００１１】
また、請求項５記載の発明に係る静止画生成装置は、前記静止画生成手段は、前記静止画用の画像処理を施すための第１の画像処理情報と、前記動画用の画像処理を施すための第２の画像処理情報とを記憶する記憶手段を含み、この記憶手段に記憶された各画像処理情報に基づき、画像処理を施すことにより静止画用の画像処理が施された静止画を生成する。したがって、記憶されている第１及び第２の画像処理情報に基づき、簡単な処理でかつ確実に適正な画質からなる静止画を生成することができる。
【００１２】
また、請求項６記載の発明に係る静止画生成装置は、前記静止画生成手段は、前記静止画生成手段は、前記第２の画像処理情報に基づき逆特性を有する第３の画像処理情報を算定し、この算定した第３の画像処理情報と前記第１の画像処理情報とに基づき第４の画像処理情報を算定する算定手段を更に含み、前記第２の画像処理情報に基づく画像処理が施された前記動画の前記フレーム画像に、前記第４の画像処理情報に基づく画像処理を施すことにより静止画用の画像処理が施された静止画を生成する。
【００１３】
つまり、動画に施された前記第２のコントラスト情報に対し逆特性を有する第３の画像処理情報を動画中のフレーム画像に適用すると（第１の適用）、当該フレーム画像は一旦平衡特性となる。したがって、この平衡特性となったフレーム画像に第１の画像処理情報を適用すれば（第２の適用）、当該フレーム画像は静止画用の最適な画質に変化したこととなる。よって、第２の画像処理情報に対し逆特性を有する第３の画像処理情報と前記第１の画像処理情報とを重ね合わせて第４の画像処理情報を予め算定して、第４の画像処理情報を適用すれば、前記第１及び第２の適用を同時に行うこととなり、前記フレーム画像は静止画用の最適な画質に変化することとなる。
【００１４】
また、請求項７記載の発明に係る静止画生成装置は、前記各画像処理は彩度調整処理であり、前記静止画生成手段は、前記動画用の彩度調整処理が施された前記動画の前記フレーム画像に所定の彩度調整処理を施すことにより静止画用の彩度調整処理が施された静止画を生成する。したがって、任意のフレーム画像から静止画を得ようとする動画に如何なる動画用の彩度調整処理が施されていても、取得手段により取得したフレーム画像に所定の彩度調整処理が施されることにより、静止画用の彩度調整処理が施された適正な画質からなる静止画を生成することができる。
【００１５】
また、請求項８記載の発明に係る静止画生成装置は、前記各画像処理はフィルタ処理であり、前記静止画生成手段は、前記動画用のフィルタ処理が施された前記動画の前記フレーム画像に所定のフィルタ処理を施すことにより静止画用のフィルタ処理が施された静止画を生成する。したがって、任意のフレーム画像から静止画を得ようとする動画に如何なる動画用のフィルタ処理が施されていても、取得手段により取得したフレーム画像に所定のフィルタ処理が施されることにより、静止画用のフィルタ処理が施された適正な画質からなる静止画を生成することができる。
【００１６】
また、請求項９記載の発明に係る静止画生成装置は、前記各画像処理は露出調整処理であり、前記静止画生成手段は、前記動画用の露出調整処理が施された前記動画の前記フレーム画像に所定の露出調整処理を施すことにより静止画用の露出調整処理が施された静止画を生成する。したがって、任意のフレーム画像から静止画を得ようとする動画に如何なる動画用の露出調整処理が施されていても、取得手段により取得したフレーム画像に所定の露出調整処理が施されることにより、静止画用の露出調整処理が施された適正な画質からなる静止画を生成することができる。
【００１７】
また、請求項１０記載の発明に係る静止画生成装置は、前記取得手段は、前記動画からフレーム画像を選択して取得する第１の取得手段と、この第１の取得手段により取得されたフレーム画像と時間的に近接する複数のフレーム画像を取得する第２の取得手段とを含み、前記静止画生成手段は、前記第１の取得手段により取得されたフレーム画像に対応する静止画と、前記第２の取得手段により取得されたフレーム画像に対応する静止画とを含む単一の静止画を生成する。したがって、動画から所望のフレーム画像を選択すれば、自動的に当該フレーム画像と時間的に近接する複数のフレーム画像が選択されて、最適な画質を有する複数の静止画を含む静止画が生成される。
【００１８】
また、請求項１１記載の発明に係る静止画生成プログラムは、静止画生成装置が有するコンピュータを、複数のフレーム画像で構成され動画用の画像処理が施された動画からフレーム画像を取得する取得手段と、この取得手段により取得された前記動画用の画像処理が施されたフレーム画像に所定の画像処理を施すことにより静止画用の画像処理が施された静止画を生成する静止画生成手段として機能させる。したがって、前記コンピュータがこのプログラムに従って処理を実行することにより、請求項１記載の発明と同様の作用効果を奏する。
【００１９】
また、請求項１２記載の発明に係る静止画生成方法は、複数のフレーム画像で構成され動画用の画像処理が施された動画からフレーム画像を取得する取得工程と、この取得工程により取得された前記動画用の画像処理が施されたフレーム画像に所定の画像処理を施すことにより静止画用の画像処理が施された静止画を生成する静止画生成工程とを含む。したがって、記載した工程に従って処理を実行することにより、請求項１記載の発明と同様の作用効果を奏する。
【発明の効果】
【００２０】
以上説明したように本発明によれば、任意のフレーム画像から静止画を得ようとする動画に如何なる画質パラメータで動画用の画像処理が施されていても、取得手段により取得したフレーム画像に所定の画像処理が施されることにより、静止画用の画像処理が施された適正な画質からなる静止画を生成することができる。
【図面の簡単な説明】
【００２１】
【図１】本発明の一実施の形態に係るデジタルカメラのブロック図である。
【図２】同実施の形態において用いたコントラスト特性を示す図である。
【図３】同実施の形態において用いた彩度特性を示す図である。
【図４】（ａ）は、静止画用のシャープネスフィルタ特性を示す図であり、（ｂ）は、動画用のシャープネスフィルタ特性を示す図である。
【図５】同実施の形態における処理手順を示すフローチャートである。
【図６】実施の形態の変形例において用いた露出特性を示す図である。
【発明を実施するための形態】
【００２２】
以下、本発明の一実施の形態を図にしたがって説明する。
図１は、本発明の一実施の形態に係るデジタルカメラ１の回路構成を示すブロック図である。このデジタルカメラ１は、静止画撮影機能と動画撮影機能とを備えるものであって、ＣＣＤ２とＤＳＰ／ＣＰＵ３とを有しており、ＣＣＤ２は、感光部にベイヤー配列の原色フィルターが設けられたものである。ＤＳＰ／ＣＰＵ３は、画像データの圧縮・伸張、音声データの処理を含む各種のデジタル信号処理機能を有するとともにデジタルカメラ１の各部を制御するワンチップマイコンである。
【００２３】
ＤＳＰ／ＣＰＵ３には、ＣＣＤ２を駆動するＴＧ（Timing Generator）４が接続されており、ＴＧ４には、ＣＣＤ２から出力される被写体の光学像に応じたアナログの撮像信号が入力するユニット回路５が接続されている。ユニット回路５は、ＣＣＤ２から出力された撮像信号に含まれるＣＣＤ２の駆動ノイズを減少させる相関二重サンプリング回路（ＣＤＳ回路）と、ノイズ低減後における信号のゲインを調整する自動利得制御回路（ＡＧＣ回路）、ゲイン調整後の信号をデジタル信号に変換するＡ／Ｄ変換器を含み、ＣＣＤ２から入力したアナログの撮像信号をデジタルの画像信号、すなわちベイヤーデータに変換し、ＤＳＰ／ＣＰＵ３に送る。
【００２４】
ＤＳＰ／ＣＰＵ３には、表示装置６、キー入力部７が接続されるとともに、アドレス・データバス１０を介してバッファメモリ（ＤＲＡＭ）１１、ＲＯＭ１２、保存メモリ１３、及び入出力インターフェース１４が接続されている。バッファメモリ１１は、前記ベイヤーデータ等を一時保存するバッファであるとともに、ＤＳＰ／ＣＰＵ３のワーキングメモリとしても使用される。
【００２５】
すなわち、ＤＳＰ／ＣＰＵ３は、ユニット回路５から送られてきた前記ベイヤーデータに、ペデスタルクランプ等の処理を施した後、ＲＧＢデータに変換し、更にＲＧＢデータを輝度（Ｙ）信号及び色差（ＵＶ）信号に変換する。このＤＳＰ／ＣＰＵ３で変換されたＹＵＶデータは、１フレーム分のデータがバッファメモリ１１に格納される。バッファメモリ１１に格納された１フレーム分のＹＵＶデータは表示装置６へ送られ、そこでビデオ信号に変換された後、スルー画像として表示される。
【００２６】
また、静止画撮影モードにおいて使用者によるシャッターキー操作が検出されると、ＣＣＤ２及びユニット回路５をスルー画像撮像時とは異なる静止画撮影用の駆動方式や駆動タイミングに切り替えることにより静止画撮影処理を実行し、この静止画撮影処理によりバッファメモリ１１に格納された１フレーム分のＹＵＶデータは、ＤＳＰ／ＣＰＵ３でＪＰＥＧ方式等によるデータ圧縮後コード化され、バッファメモリ１１内でファイル化された後、アドレス・データバス１０を介して保存メモリ１３に静止画データとして記録される。
【００２７】
また、動画撮影モードにおいて使用者によるシャッターキー操作により録画開始指示が検出されると、ＣＣＤ２及びユニット回路５をスルー画像撮像時とは異なる動画撮影用の駆動方式や駆動タイミングに切り替えることにより動画撮影処理を開始し、この動画撮影処理によりバッファメモリ１１に格納されたＹＵＶデータは順次ＤＳＰ／ＣＰＵ３へ送られ、所定のＭＰＥＧのコーデックによりデータ圧縮後コード化されて、バッファメモリ１１及びアドレス・データバス１０を介してフレームデータ（ビデオデータ）として保存メモリ１３に順次書き込まれる。係る一連の動作はフレーム毎に繰り返し実行され、バッファメモリ１１内のＹＵＶデータ（圧縮データ）は順次書き換えられる。つまりストリーム記録される。また、ＤＳＰ／ＣＰＵ３は、静止画又は動画の再生時には保存メモリ１３から読み出された静止画や動画のデータを伸張し、静止画データや動画像のフレームデータとしてバッファメモリ１１の画像データ作業領域に展開する。
【００２８】
表示装置６は、カラーＬＣＤとその駆動回路とを含み、撮影待機状態にあるときにはＣＣＤ２によって撮像された被写体画像をスルー画像として表示し、記録画像の再生時には保存メモリ１３から読み出されて伸張された記録画像を表示する。キー入力部７は、シャッターキー、電源キー等の複数の操作キーを含み、使用者によるキー操作に応じたキー入力信号をＤＳＰ／ＣＰＵ３に出力する。なお、シャッタキーは動画撮影時には録画開始／終了ボタンとしても機能する。
【００２９】
また、ＲＯＭ１２には静止画撮影時、動画撮影時、スルー画撮影時等の各撮影時における適正な露出値（ＥＶ）に対応する絞り値（Ｆ）とシャッタースピードとの組み合わせを示すプログラム線図を構成するプログラムＡＥデータや、ＥＶ値表も格納されている。そして、ＤＳＰ／ＣＰＵ３がプログラム線図により設定されるシャッタースピードに基づき設定した電荷蓄積時間はシャッターパルスとして、ＴＧ４を介してＣＣＤ２に供給され、これに従いＣＣＤ２が動作することにより電荷蓄積時間すなわち露光時間が制御される。つまりＣＣＤ２は電子シャッターとして機能する。
【００３０】
さらに、ＲＯＭ１２には、後述するフローチャートに示すプログラム及びデジタルカメラとして機能するに必要な各種プログラムが格納されているとともに、図２に示す静止画用である第１のコントラストカーブ（ガンマカーブ）Ａ１及び動画用である第２のコントラストカーブ（ガンマカーブ）Ａ２、図３に示す静止画用である第１の彩度カーブＢ１及び動画用である第２の彩度カーブＢ２、図４に示した静止画用のシャープネスフィルタＣ１及び動画用のシャープネスフィルタＣ２が記憶されている。
【００３１】
なお、このデジタルカメラ１は、前記入出力インターフェース１４を備えており、よって、この入出力インターフェース１４を介してプリンタやパソコンやＴＶ受像機等の外部機器に接続することが可能である。
【００３２】
以上の構成に係る本実施の形態において、静止画撮影モードが設定されている状態で使用者によりシャッターキーが操作されると、ＣＣＤ２及びユニット回路５を静止画撮影用の駆動方式や駆動タイミングに切り替えることにより静止画撮影処理を実行し、この静止画撮影処理によりバッファメモリ１１に格納された１フレーム分のＹＵＶデータは、ＤＳＰ／ＣＰＵ３で、第１のコントラストカーブＡ１、第１の彩度カーブＢ１、静止画用のシャープネスフィルタＣ１を適用して画像処理される。しかる後に、ＪＰＥＧ方式でデータ圧縮した後コード化され、バッファメモリ１１内でファイル化された後、アドレス・データバス１０を介して保存メモリ１３に静止画データ（静止画ファイル）として記録される。
【００３３】
また、動画撮影モードが設定されている状態において、使用者によるシャッターキー操作により録画開始操作があると、ＣＣＤ２及びユニット回路５を動画撮影用の駆動方式や駆動タイミングに切り替えることにより動画撮影処理を開始し、この動画撮影処理によりバッファメモリ１１に格納されたＹＵＶデータは順次ＤＳＰ／ＣＰＵ３へ送られ、第２のコントラストカーブＡ２、第２の彩度カーブＢ２、動画用のシャープネスフィルタＣ２を適用して画像処理される。しかる後に、ＭＰＥＧ方式のコーデックによりデータ圧縮した後コード化され、最終的にはアドレス・データバス１０を介して動画ファイルとして保存メモリ１３に記録される。
【００３４】
そして、このように保存メモリ１３に動画ファイルが格納されている状態において、ユーザによるキー入力部７の所定の操作により、静止画作成モードが設定されると、ＤＳＰ／ＣＰＵ３は、前記プログラムに基づき、図５のフローチャートに示す処理を実行する。すなわち、ユーザはキー入力部７の操作により、保存メモリ１３に格納されているいずれかの動画ファイルを選択して再生し、任意のフレーム画像を選択して動画フレームからの静止画像の生成を指示する（ステップＳ１）。するとＤＳＰ／ＣＰＵ３は、動画ファイルから選択指示されたフレームの動画フレーム信号を読み出して、バッファメモリ１１内にて伸張処理して、ＹＵＶデータに変換する（ステップＳ２）。
【００３５】
引き続き、ＲＯＭ１２から前記静止画用の第１のコントラストカーブＡ１を読み出すとともに（ステップＳ３）、前記動画用の第２のコントラストカーブＡ２を読み出す（ステップＳ４）。そして、このステップＳ４で読み出した第２のコントラストカーブＡ２の逆カーブを算定して、これを第３のコントラストカーブとする（ステップＳ５）。したがって、このステップＳ５での処理により、図２に示すように、第２のコントラストカーブＡ２の逆カーブである第３のコントラストカーブＡ３が得られることとなる。
【００３６】
さらに、第３のコントラストカーブＡ３に第１のコントラストカーブＡ１を乗じて、これを第４のコントラストカーブとする（ステップＳ６）。このステップＳ６での処理により、図２に示すように、第４のコントラストカーブＡ４が得られることとなる。そして、前記ステップＳ２で読み出して伸張した動画フレーム信号、つまり１フレーム分のＹＵＶデータに、前記第４のコントラストカーブＡ４を適用してコントラスト変換する処理を施す（ステップＳ７）。
【００３７】
つまり、前述のように動画撮影時において、適用された第２のコントラストカーブＡ２に対し逆特性を有する第３のコントラストカーブＡ３を、伸張した動画フレーム信号（フレーム画像）に適用すると（第１の適用）、図２に示すように、当該動画フレーム信号のガンマ特性（ガンマカーブ）は一旦平衡ガンマＥ１となる。したがって、この平衡ガンマＥ１となった動画フレーム信号に第１のコントラストカーブＡ１を適用すれば（第２の適用）、当該動画フレーム信号のガンマ特性（ガンマカーブ）は静止画用の最適なコントラストである第１のコントラストカーブＡ１に変化したこととなる。よって、第２のコントラストカーブＡ２に対し逆特性を有する第３のコントラストカーブＡ３と前記第１のコントラストカーブＡ１とを重ね合わせて、第４のコントラストカーブＡ４を予め算定し（ステップＳ６）、この第４のコントラストカーブＡ４を適用すれば（ステップＳ７）、前記第１及び第２の適用を同時に行うこととなり、前記フレーム画像のガンマ特性（ガンマカーブ）は静止画用の最適なコントラストである第１のコントラストカーブＡ１に変化する。
【００３８】
また、それぞれのコントラストカーブを伝達関数で示すと、
第１のコントラストカーブＡ１＝Ｈ（Ｓ）
第２のコントラストカーブＡ２＝Ｇ（Ｓ）
と仮におくと、
Ｆ（Ｓ）＝（１／Ｇ（Ｓ））×Ｈ（Ｓ）
となるＦ（Ｓ）のようなガンマを動画の信号に、一挙に適用すればよい。そのカーブが第４のコントラストカーブＡ４となるのである。
【００３９】
なお、本実施の形態においては、ステップＳ３〜ステップＳ６の処理を行うことによって、第４のコントラストカーブＡ４を算定するようにしたが、ＲＯＭ１２に第４のコントラストカーブＡ４を記憶させておき、単一のステップでＲＯＭ１２から第４のコントラストカーブＡ４を読み出して、ステップＳ７でこれを動画フレーム信号に適用するようにしてもよい。このようにすれば、ステップＳ３〜ステップＳ６の処理を行うことなく、単にＲＯＭ１２から第４のコントラストカーブＡ４を読み出すだけで済み、処理を簡単化することができる。また、ＲＯＭ１２に第３のコントラストカーブＡ３を記憶させておくようにしてもよい。このようにすれば、ステップＳ４およびステップＳ５の処理を行う必要がなくなるので、この場合も処理を簡単化することができる。
【００４０】
引き続き、ＲＯＭ１２から前記静止画用の第１の彩度カーブＢ１を読み出すとともに（ステップＳ８）、前記動画用の第２の彩度カーブＢ２を読み出す（ステップＳ９）。そして、このステップＳ９で読み出した第２の彩度カーブＢ２の逆カーブを算定して、これを第３の彩度カーブとする（ステップＳ１０）。さらに、第３の彩度カーブに第１の彩度カーブＢ１を乗じて、これを第４の彩度カーブとする（ステップＳ１１）。このステップＳ１１での処理により、図３に示すように、第４の彩度カーブＢ４が得られることとなる。そして、前記ステップＳ７で第４のコントラストカーブＡ４が適用された１フレーム分のＹＵＶデータに、前記第４の彩度カーブＢ４を適用して彩度変換する処理を施す（ステップＳ１２）。
【００４１】
つまり、前述のように動画撮影時において、適用された第２の彩度カーブＢ２に対し逆特性を有する第３の彩度カーブを、伸張した動画フレーム信号（フレーム画像）に適用すると（第１の適用）、図３に示すように、当該動画フレーム信号の彩度特性（彩度カーブ）は一旦平衡彩度Ｅ２となる。したがって、この平衡彩度Ｅ２となった動画フレーム信号に第１の彩度カーブＢ１を適用すれば（第２の適用）、当該動画フレーム信号の彩度特性（彩度カーブ）は静止画用の最適な彩度である第１の彩度カーブＢ１に変化したこととなる。よって、第２の彩度カーブＢ２に対し逆特性を有する第３の彩度カーブＢ３と前記第１の彩度カーブＢ１とを重ね合わせて、第４の彩度カーブＢ４を予め算定し（ステップＳ１１）、この第４の彩度カーブＢ４を適用すれば（ステップＳ１２）、前記第１及び第２の適用を同時に行うこととなり、前記フレーム画像は静止画用の最適な彩度である第１の彩度カーブＢ１に変化する。
【００４２】
なお、本実施の形態においては、ステップＳ８〜ステップＳ１１の処理を行うことによって、第４の彩度カーブＢ４を算定するようにしたが、ＲＯＭ１２に第４の彩度カーブＢ４を記憶させておき、単一のステップでＲＯＭ１２から第４の彩度カーブＢ４を読み出して、ステップＳ１２でこれを動画フレーム信号に適用するようにしてもよい。このようにすれば、ステップＳ８〜ステップＳ１１の処理を行うことなく、単にＲＯＭ１２から第４の彩度カーブＢ４を読み出すだけで済み、処理を簡単化することができる。また、ＲＯＭ１２に第３の彩度カーブを記憶させておくようにしてもよい。このようにすれば、ステップＳ９およびステップＳ１０の処理を行う必要がなくなるので、この場合も処理を簡単化することができる。
【００４３】
引き続き、ＲＯＭ１２から前記静止画用の第１のシャープネスフィルタカーブＣ１を読み出すとともに（ステップＳ１３）、前記動画用の第２のシャープネスフィルタカーブＣ２を読み出す（ステップＳ１４）。そして、このステップＳ１４で読み出した第２のシャープネスフィルタカーブＣ２の逆カーブを算定して、これを第３のシャープネスフィルタカーブとする（ステップＳ１５）。さらに、第３のシャープネスフィルタカーブに第１のシャープネスフィルタカーブＣ１を乗じて、これを第４のシャープネスフィルタカーブとする（ステップＳ１６）。そして、前記ステップＳ７で第４のコントラストカーブＡ４が適用され、かつ前記ステップＳ１２で第４の彩度カーブＢ４が適用された１フレーム分のＹＵＶデータに、前記第４のシャープネスフィルタカーブを適用してシャープネスフィルタ処理を施す（ステップＳ１７）。
【００４４】
つまり、前述のように動画撮影時において、適用された第２のシャープネスフィルタカーブＣ２に対し逆特性を有する第３のシャープネスフィルタカーブを、伸張した動画フレーム信号（フレーム画像）に適用すると（第１の適用）、当該動画フレーム信号のシャープネスフィルタ特性（シャープネスフィルタカーブ）は一旦平衡となる。したがって、この平衡となった動画フレーム信号に第１のシャープネスフィルタカーブＣ１を適用すれば（第２の適用）、当該動画フレーム信号のシャープネスフィルタ特性（シャープネスフィルタカーブ）は静止画用の最適なシャープネスである第１のシャープネスフィルタカーブＣ１に変化したこととなる。よって、第２のシャープネスフィルタカーブＣ２に対し逆特性を有する第３のシャープネスフィルタカーブと前記第１のシャープネスフィルタカーブＣ１とを重ね合わせて、第４のシャープネスフィルタカーブを予め算定し（ステップＳ１６）、この第４のシャープネスフィルタカーブを適用すれば（ステップＳ１７）、前記第１及び第２の適用を同時に行うこととなり、前記フレーム画像のシャープネスフィルタ特性（シャープネスフィルタカーブ）は静止画用の最適なシャープネスである第１のシャープネスフィルタカーブＣ１に変化する。
【００４５】
すなわち、静止画に適用しているフィルタの伝達関数をＨ（Ｓ）とし、動画に適用しているフィルタの伝達関数をＧ（Ｓ）とする。このとき、Ｆ（Ｓ）＝（１／Ｇ（Ｓ））×Ｈ（Ｓ）となるような伝達関数Ｆ（Ｓ）を動画のフレームに対して適用すれば、静止画最適のシャープネスとなるのである。
【００４６】
なお、本実施の形態においては、ステップＳ１３〜ステップＳ１６の処理を行うことによって、第４のシャープネスフィルタカーブを算定するようにしたが、ＲＯＭ１２に第４のシャープネスフィルタカーブを記憶させておき、単一のステップでＲＯＭ１２から第４のシャープネスフィルタカーブを読み出して、ステップＳ１７でこれを動画フレーム信号に適用するようにしてもよい。このようにすれば、ステップＳ１３〜ステップＳ１６の処理を行うことなく、単にＲＯＭ１２から第４のシャープネスフィルタカーブを読み出すだけで済み、処理を簡単化することができる。また、ＲＯＭ１２に第３のシャープネスフィルタカーブを記憶させておくようにしてもよい。このようにすれば、ステップＳ１４およびステップＳ１５の処理を行う必要がなくなるので、この場合も処理を簡単化することができる。
【００４７】
引き続き、静止画信号に変換するに必要な処理やレイアウト上の配置処理を行う（ステップＳ１８）。ここで、本実施の形態は、前記ステップＳ１でユーザが選択した動画フレームとともに、その直前の４フレームと直後の４フレームとを含む計９枚の静止画をレイアウトし一つの静止画ファイルにして保存するものである。したがって、このステップＳ１８では、以上に説明したステップＳ２〜Ｓ１７の処理により最適なコントラスト等に変換された静止画を所定の領域内にレイアウトする。
【００４８】
次に、前記９枚分のフレームにおける最後のフレームに対する処理が完了したか否かを判断する（ステップＳ１９）。これら９枚分のフレームにおける最後のフレームに対する処理が完了していない場合には、このステップＳ１９での判断はＮＯとなる。よって、この場合には次の処理対象のフレームを選択した後（ステップＳ２０）、ステップＳ２からの処理を繰り返す。
【００４９】
そして、９枚分のフレームにおける最後のフレームに対する処理が完了すると、ステップＳ１９の判断がＹＥＳとなり、９枚分の静止画データ（ＹＵＶデータ）を合成してレイアウトした合成静止画データをＪＰＥＧ変換し、保存メモリ１３に保存する（ステップＳ２１）。したがって、この保存メモリ１３に保存した静止画ファイルを、入出力インターフェース１４を介してプリンタやパソコンに供給することにより、画像が「暗い」「ぼやっとしている」「鮮やかさが足りない」といった印象を与えることのない静止画を印刷あるいは表示することができる。
【００５０】
（本実施の形態の変形例）
【００５１】
図６は、本実施の形態の変形例を示すものであり、前記ＲＯＭ１２には、図２に示した静止画用である第１のコントラストカーブＡ１と同様の静止画用である第１のコントラストカーブ（ガンマカーブ）Ｆ１と図２に示した動画用である第２のコントラストカーブＡ２に加えて静止画作成モードにおいて使用される第２のコントラストカーブ（ガンマカーブ）Ｆ２が記憶されている。この第２のコントラストカーブＦ２は、図２に示した動画用である第２のコントラストカーブＡ２に、動画用の適正露出を加味したものである。すなわち、前述したように、家庭用のＴＶの画質は、ハイキー／ハイコントラストで高彩度、つまり派手目の絵作りがなされるように、調整されて出荷されている。したがって、動画用のコントラストカーブは、このような家庭用のＴＶ画面上で再生された場合に、最適画質となるように静止画のそれに比較すると低めの値をとっている。さらに、コントラストカーブのみならず、「適正露出」と判定する露出の判定値も静止画のそれとは異なる場合がある。つまり、動画撮影時には静止画撮影時よりも露出アンダーな状態にして、静止画のそれに比較すると低めの値をとる場合がある。しかして、この変形例における静止画作成用である第２のコントラストカーブＦ２は、前記第２のコントラストカーブＡ２（図２）に動画用の露出補正分（露出アンダー）のゲインアップを加味した特性とされているのである。
【００５２】
したがって、動画撮影モードが設定されている状態において、使用者によるシャッターキー操作により録画開始操作があると、ＣＣＤ２及びユニット回路５を動画撮影用の駆動方式や駆動タイミングに切り替えることにより動画撮影処理を開始し、この動画撮影処理によりバッファメモリ１１に格納されたＹＵＶデータは順次ＤＳＰ／ＣＰＵ３へ送られ、第２のコントラストカーブＡ２を適用して画像処理される。しかる後に、ＭＰＥＧ方式のコーデックによりデータ圧縮した後コード化され、最終的にはアドレス・データバス１０を介して動画ファイルとして保存メモリ１３に記録される。
【００５３】
また、この保存メモリ１３に保存されている動画ファイルにおいて、任意のフレーム画像から静止画を生成するに際しては、前述した図５のフローチャートにおけるステップＳ３〜ステップＳ７と同様の処理を行えばよい。すなわち、ＲＯＭ１２から前記静止画用の第１のコントラストカーブＦ１を読み出すとともに（ステップＳ３）、前記静止画作成用の第２のコントラストカーブＦ２を読み出す（ステップＳ４）。そして、このステップＳ４で読み出した第２のコントラストカーブＦ２の逆カーブを算定して、これを第３のコントラストカーブとする（ステップＳ５）。したがって、このステップＳ５での処理により、図６に示すように、第２のコントラストカーブＦ２の逆カーブである第３のコントラストカーブＦ３が得られることとなる。
【００５４】
さらに、第３のコントラストカーブＦ３に第１のコントラストカーブＦ１を乗じて、これを第４のコントラストカーブとする（ステップＳ６）。このステップＳ６での処理により、図６に示すように、第４のコントラストカーブＦ４が得られることとなる。そして、前記ステップＳ２で読み出して伸張した動画フレーム信号、つまり１フレーム分のＹＵＶデータに、前記第４のコントラストカーブＦ４を適用してコントラスト変換する処理を施す（ステップＳ７）。
【００５５】
なお、この変形例においても、ＲＯＭ１２に第４のコントラストカーブＦ４を記憶させておき、単一のステップでＲＯＭ１２から第４のコントラストカーブＦ４を読み出して、ステップＳ７でこれを動画フレーム信号に適用するようにしてもよい。また、ＲＯＭ１２に第３のコントラストカーブＦ３を記憶させておくようにしてもよい。
【００５６】
また、この変形例においては動画用の露出補正分を加味したコントラストカーブを用いて静止画生成処理する場合を示したが、コントラストカーブに露出補正分を加味することなく、別途露出補正分のみに対して変換処理を実行して静止画を生成するようにしてもよい。
【００５７】
また、実施の形態及び変形例においては、動画用の画質特性とは逆の特性を用い、フレーム画像から生成された静止画の画質パラメータを撮影された静止画の画質パラメータと完全に一致させるようにしたが、「動画は先鋭度が足りないのでやや味付けする」などの目的のために、逆特性とは異なるパラメータを適用するようにしてもよい。
【００５８】
また、実施の形態においては、複数のフレーム画像に対応する複数枚分の静止画を自動的に合成して静止画ファイルを作成するようにしたが、単一の静止画のみを生成するようにしてもよい。
【００５９】
さらに、実施の形態においては、動画は固定的な特性カーブで画像処理されるものとしたが、固定的ではなくガンマカーブを変更しつつ動画撮影を行うカメラにおいては、各フレームと関連付けてどのようなガンマカーブが適用されたのかを示す関連情報を記録しておき、静止画生成時に前記関連情報を参照して適用する逆ガンマカーブを決定するといった方法も考えられる。また、フレーム毎に関連情報を記録することは記録に要する処理負担が大きくなってしまうので、動画ファイル毎に当該動画において最も適用頻度が高いガンマカーブ等を記録しておくようにしてもよい。
【００６０】
加えて、前述した実施の形態においては、ＹＵＶデータの状態で図５のフローチャートに示した処理を実行するようにしたり、静止画撮影時及び動画撮影時にＹＵＶデータの状態（段階）でコントラスト変換処理、彩度変換処理、シャープネスフィルタ処理、露出変換処理等を実行するようにしたが、ベイヤーデータあるいはＲＧＢデータの状態（段階）で同様の処理を実行するようにしてもよい。
【符号の説明】
【００６１】
１    デジタルカメラ
２    ＣＣＤ
３    ＤＳＰ／ＣＰＵ
４    ＴＧ
５    ユニット回路
６    表示装置
７    キー入力部
１０    データバス
１１    バッファメモリ
１２    ＲＯＭ
１３    保存メモリ
１４    入出力インターフェース
【図１】
2010119109.tif 000003
【図２】
2010119109.tif 000004
【図３】
2010119109.tif 000005
【図４】
2010119109.tif 000006
【図５】
2010119109.tif 000007
【図６】
2010119109.tif 000008
【手続補正書】
【提出日】平成22年1月15日(2010.1.15)
【手続補正１】
【補正対象書類名】明細書
【補正対象項目名】０００７
【補正方法】変更
【補正の内容】
【０００７】
前記課題を解決するために請求項１記載の発明に係る静止画生成装置は、複数のフレーム画像で構成され動画用の画像処理が施された動画からフレーム画像を取得する取得手段と、静止画用の画像処理を施すための第１の画像処理情報と、前記動画用の画像処理を施すための第２の画像処理情報とを記憶する記憶手段と、前記第２の画像処理情報に基づき逆特性を有する第３の画像処理情報を算定し、この算定した第３の画像処理情報と前記第１の画像処理情報とに基づき第４の画像処理情報を算定する算定手段と、前記第２の画像処理情報に基づく画像処理が施された前記動画の前記フレーム画像に、前記第４の画像処理情報に基づく画像処理を施すことにより静止画用の画像処理が施された静止画を生成する静止画生成手段とを備えることを特徴とする。つまり、動画に施された前記第２のコントラスト情報に対し逆特性を有する第３の画像処理情報を動画中のフレーム画像に適用すると（第１の適用）、当該フレーム画像は一旦平衡特性となる。したがって、この平衡特性となったフレーム画像に第１の画像処理情報を適用すれば（第２の適用）、当該フレーム画像は静止画用の最適な画質に変化したこととなる。よって、第２の画像処理情報に対し逆特性を有する第３の画像処理情報と前記第１の画像処理情報とを重ね合わせて第４の画像処理情報を予め算定して、第４の画像処理情報を適用すれば、前記第１及び第２の適用を同時に行うこととなり、前記フレーム画像は静止画用の最適な画質に変化することとなる。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
また、請求項４記載の発明に係る静止画生成装置は、前記各画像処理は彩度調整処理であり、前記静止画生成手段は、前記動画用の彩度調整処理が施された前記動画の前記フレーム画像に所定の彩度調整処理を施すことにより静止画用の彩度調整処理が施された静止画を生成する。したがって、任意のフレーム画像から静止画を得ようとする動画に如何なる動画用の彩度調整処理が施されていても、取得手段により取得したフレーム画像に所定の彩度調整処理が施されることにより、静止画用の彩度調整処理が施された適正な画質からなる静止画を生成することができる。
【手続補正７】
【補正対象書類名】明細書
【補正対象項目名】００１５
【補正方法】変更
【補正の内容】
【００１５】
また、請求項５記載の発明に係る静止画生成装置は、前記各画像処理はフィルタ処理であり、前記静止画生成手段は、前記動画用のフィルタ処理が施された前記動画の前記フレーム画像に所定のフィルタ処理を施すことにより静止画用のフィルタ処理が施された静止画を生成する。したがって、任意のフレーム画像から静止画を得ようとする動画に如何なる動画用のフィルタ処理が施されていても、取得手段により取得したフレーム画像に所定のフィルタ処理が施されることにより、静止画用のフィルタ処理が施された適正な画質からなる静止画を生成することができる。
【手続補正８】
【補正対象書類名】明細書
【補正対象項目名】００１６
【補正方法】変更
【補正の内容】
【００１６】
また、請求項６記載の発明に係る静止画生成装置は、前記各画像処理は露出調整処理であり、前記静止画生成手段は、前記動画用の露出調整処理が施された前記動画の前記フレーム画像に所定の露出調整処理を施すことにより静止画用の露出調整処理が施された静止画を生成する。したがって、任意のフレーム画像から静止画を得ようとする動画に如何なる動画用の露出調整処理が施されていても、取得手段により取得したフレーム画像に所定の露出調整処理が施されることにより、静止画用の露出調整処理が施された適正な画質からなる静止画を生成することができる。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
また、請求項７記載の発明に係る静止画生成プログラムは、静止画生成装置が有するコンピュータを、複数のフレーム画像で構成され動画用の画像処理が施された動画からフレーム画像を取得する取得手段と、静止画用の画像処理を施すための第１の画像処理情報と、前記動画用の画像処理を施すための第２の画像処理情報とを記憶する記憶手段と、前記第２の画像処理情報に基づき逆特性を有する第３の画像処理情報を算定し、この算定した第３の画像処理情報と前記第１の画像処理情報とに基づき第４の画像処理情報を算定する算定手段と、前記第２の画像処理情報に基づく画像処理が施された前記動画の前記フレーム画像に、前記第４の画像処理情報に基づく画像処理を施すことにより静止画用の画像処理が施された静止画を生成する静止画生成手段として機能させる。したがって、前記コンピュータがこのプログラムに従って処理を実行することにより、請求項１記載の発明と同様の作用効果を奏する。
【手続補正１１】
【補正対象書類名】明細書
【補正対象項目名】００１９
【補正方法】変更
【補正の内容】
【００１９】
また、請求項８記載の発明に係る静止画生成方法は、複数のフレーム画像で構成され動画用の画像処理が施された動画からフレーム画像を取得する取得工程と、静止画用の画像処理を施すための第１の画像処理情報と、前記動画用の画像処理を施すための第２の画像処理情報とを記憶する記憶工程と、前記第２の画像処理情報に基づき逆特性を有する第３の画像処理情報を算定し、この算定した第３の画像処理情報と前記第１の画像処理情報とに基づき第４の画像処理情報を算定する算定工程と、前記第２の画像処理情報に基づく画像処理が施された前記動画の前記フレーム画像に、前記第４の画像処理情報に基づく画像処理を施すことにより静止画用の画像処理が施された静止画を生成する静止画生成工程とを含む。したがって、記載した工程に従って処理を実行することにより、請求項１記載の発明と同様の作用効果を奏する。
【手続補正１２】
【補正対象書類名】特許請求の範囲
【補正対象項目名】全文
【補正方法】変更
【補正の内容】
【特許請求の範囲】
【請求項１】
複数のフレーム画像で構成され動画用の画像処理が施された動画からフレーム画像を取得する取得手段と、
静止画用の画像処理を施すための第１の画像処理情報と、前記動画用の画像処理を施すための第２の画像処理情報とを記憶する記憶手段と、
前記第２の画像処理情報に基づき逆特性を有する第３の画像処理情報を算定し、この算定した第３の画像処理情報と前記第１の画像処理情報とに基づき第４の画像処理情報を算定する算定手段と、
前記第２の画像処理情報に基づく画像処理が施された前記動画の前記フレーム画像に、前記第４の画像処理情報に基づく画像処理を施すことにより静止画用の画像処理が施された静止画を生成する静止画生成手段と
を備えることを特徴とする静止画生成装置。
【請求項２】
動画を撮影して前記動画用の画像処理を施す動画撮影手段と、
静止画を撮影して前記静止画用の画像処理を施す静止画撮影手段と、
前記各撮影手段により撮影されて前記各画像処理が施された動画及び静止画を記録する記録手段とを備え、
前記取得手段は、前記記録手段に記録された動画から前記フレーム画像を取得し、
前記記録手段は、前記静止画生成手段により生成された静止画を更に記録することを特徴とする請求項１記載の静止画生成装置。
【請求項３】
前記各画像処理はガンマ処理であり、
前記静止画生成手段は、前記動画用のガンマ処理が施された前記動画の前記フレーム画像に所定のガンマ処理を施すことにより静止画用のガンマ処理が施された静止画を生成することを特徴とする請求項１又は２記載の静止画生成装置。
【請求項４】
前記各画像処理は彩度調整処理であり、
前記静止画生成手段は、前記動画用の彩度調整処理が施された前記動画の前記フレーム画像に所定の彩度調整処理を施すことにより静止画用の彩度調整処理が施された静止画を生成することを特徴とする請求項１記載の静止画生成装置。
【請求項５】
前記各画像処理はフィルタ処理であり、
前記静止画生成手段は、前記動画用のフィルタ処理が施された前記動画の前記フレーム画像に所定のフィルタ処理を施すことにより静止画用のフィルタ処理が施された静止画を生成することを特徴とする請求項１記載の静止画生成装置。
【請求項６】
前記各画像処理は露出調整処理であり、
前記静止画生成手段は、前記動画用の露出調整処理が施された前記動画の前記フレーム画像に所定の露出調整処理を施すことにより静止画用の露出調整処理が施された静止画を生成することを特徴とする請求項１記載の静止画生成装置。
【請求項７】
静止画生成装置が有するコンピュータを、
複数のフレーム画像で構成され動画用の画像処理が施された動画からフレーム画像を取得する取得手段と、
静止画用の画像処理を施すための第１の画像処理情報と、前記動画用の画像処理を施すための第２の画像処理情報とを記憶する記憶手段と、
前記第２の画像処理情報に基づき逆特性を有する第３の画像処理情報を算定し、この算定した第３の画像処理情報と前記第１の画像処理情報とに基づき第４の画像処理情報を算定する算定手段と、
前記第２の画像処理情報に基づく画像処理が施された前記動画の前記フレーム画像に、前記第４の画像処理情報に基づく画像処理を施すことにより静止画用の画像処理が施された静止画を生成する静止画生成手段と
して機能させることを特徴とする静止画生成プログラム。
【請求項８】
複数のフレーム画像で構成され動画用の画像処理が施された動画からフレーム画像を取得する取得工程と、
静止画用の画像処理を施すための第１の画像処理情報と、前記動画用の画像処理を施すための第２の画像処理情報とを記憶する記憶工程と、
前記第２の画像処理情報に基づき逆特性を有する第３の画像処理情報を算定し、この算定した第３の画像処理情報と前記第１の画像処理情報とに基づき第４の画像処理情報を算定する算定工程と、
前記第２の画像処理情報に基づく画像処理が施された前記動画の前記フレーム画像に、前記第４の画像処理情報に基づく画像処理を施すことにより静止画用の画像処理が施された静止画を生成する静止画生成工程と
を含むことを特徴とする静止画生成方法。